(57)【要約】      （修正有）【課題】トライアングルをビーターで無造作に打ち続けてもトライアングルがほとんど回転しないために確実にビーターで打つ続けることができる、トライアングル用持ち手を提供する。【解決手段】木製の円柱の把手の下に、把手の両端から浅いＵ字型にアルミの平板を渡し、そのアルミの平板の中央部分の両側に凹みを持たせる。その凹ませた部分と既存のトライアングル（楽器）１６の上部の角を紐や小さめの結束バンド１５で、アルミ平板とトライアングル１６の上部に僅かに隙間ができる程度に結束する。トライアングル１６と持ち手の隙間を僅少にすることで持ち手に対してトライアングル１６の捩れが少なくなる。ビーターで無造作に打ち続けても、トライアングル１６がほとんど回転しないために、確実にビーターで打ち続けることができる。【選択図】図５
2016009183.tif 000002
【特許請求の範囲】
【請求項１】
木製の円柱を手で握る把手とし、その下に、把手の両端から浅いＵ字型にアルミの平板を渡し、そのアルミの平板の中央部分の両側に凹みを持たせる。その凹ませた部分と既存のトライアングル（楽器）の上部の角を紐や小さめの結束バンドで、アルミ平板とトライアングルの上部に僅かに隙間ができる程度に結束する。トライアングルと持ち手の隙間を僅少にすることで持ち手に対してトライアングルの捩れが少なくなり、ビーターで例え無造作に打ち続けても、トライアングルがほとんど回転しないために、確実にビーターで打ち続けることができることを特徴とする、演奏中にトライアングルが回転しないトライアングル用持ち手。
【発明の詳細な説明】
【技術分野】
【０００１】  本発明は、演奏中にトライアングルが回転しないトライアングル用持ち手に関するものである。
【背景技術】
【０００２】  これまでトライアングルを演奏する時、三角形であるトライアングルの上部の角（頂角と呼ぶ）に紐や糸を結び付け、伸ばした紐の先を指に掛けて釣支し、反対の手でビーター（ばち）を持って打ち付けて響かせて演奏していた。この時、指とトライアングルの間は１本の紐、つまり１点で繋がっていることになる。そのため、上から見てトライアングル面に対して、垂直にビーターを当てなければトライアングルは頂角を中心にして回転してしまい、その後は打つことができなくなったり響く音を出すことができなくなったりする。指とトライアングルを１つの輪で釣持した場合は２本で繋がり、トライアングル上部と指との間隔をぎりぎり短くすれば、トライアングルの回転はおさえられるが、小学校低学年の児童や園児にとってはそのような状態での演奏は難しい。本発明は、小学校低学年の児童や園児がトライアングルの演奏を簡単にできるようにするために発案したものである。【０００３】  そこで、トライアングルの頂角の上部と持ち手下部の平板に僅かに隙間ができる程度に紐や結束バンド等で結束する。図６で示すように結束部分を拡大して見れば、紐の縦の長さより紐と紐との横の間隔の長さの方が長くなり、持ち手に対してトライアングルの捩れが少なくなり回転が抑制され安定する。また、トライアングルの頂角の上部と持ち手下部の平板を接触させずに隙間を空けることにより、トライアングルの響きをまったく阻害することがなくなる。さらに持ち手の把手を持っている手でトライアングルに触れることも無いので今までのトライアングル保持方法で持つよりも確実にトライアングルを響かせることができる。
【先行技術文献】
【０００４】
【ウェブページ公開文献】
ｈｔｔｐ：／／ｗｗｗ．ｊｓｍｅ．ｏｒ．ｊｐ／ｍｏｎｏｇｒａｐｈ／ｄｍｃ／２０００／ＤＡＴＡ／ＰＤＦ／２５６．ＰＤＦ
２５６トライアングルの振動と発音についての研究
Ａ  Ｓｔｕｄｙ  ｏｎ  Ｖｉｂｒａｔｉｏｎ  ａｎｄ  Ｓｏｕｎｄ  Ｃｈａｒａｃｔｅｒｉｓｔｉｃｓ  ｏｆ  Ｔｒｉａｎｇｌｅ
○森裕介  （東北大）田中基八郎（埼玉大）
渡邉鉄也（埼玉大）戸田富士夫（埼玉大）
【０００５】  上記文献によると、三角形といえるトライアングル３つの角のうち、繋がっている２つの角の部分は振動の節になっていて振動がもっとも少ない。このことはどのようなサイズのトライアングルにも当てはまることであり、頂角が振動の節になっていることによって、吊すための紐がそこに接していても振動を止めずに音の響きが長く続くことになる。紐の代わりに市販の様々なサイズの結束バンドを使用してみたが、トライアングルの響きに全く影響は受けなかった。強度的に小さいサイズの結束バンドで十分であり固定もし易い。結束バンドを使用することにより、隙間を僅少にすることが容易になり捩れもさらに抑えることができる。ただ、トライアングル頂角の上部とここで使用しているアルミの平板等、他の物がぴったりと接触している場合は、響きが阻害されて、響き音が悪くなったり長続きしなくなる。トライアングルの頂角の上部と持ち手下部の平板を接触させずに僅かでも隙間を空けることにより、この問題は解決する。
【発明の概要】
【発明が解決しようとする課題】
【０００６】  トライアングルという楽器は、例えばオーケストラでも演奏楽器として使用されるが、小学校低学年での合奏や幼稚園、保育園での演奏会等で使用される場合が多い。それは、ビーターで打つだけで誰にでも簡単に音を出すことができるためだと思われる。しかし、今までは、トライアングルの頂角から１本の紐や糸で吊していたため、トライアングル面に対して、垂直にビーターを当てなければトライアングルは頂角を中心にして回転ドアの様に回転してしまい、その後は打つことができなくなったり響く音を出すことができなくなる。トライアングルは、演奏するにはある程度の技術が必要な楽器であった。
【課題を解決するための手段】
【０００７】  小学校低学年の児童や園児がトライアングル本体を回転させずにビーターで打ち続けて演奏を続けることができるようにするために、円柱の把手の下に、把手の両端から浅いＵ字型にアルミの平板を渡し、そのアルミの平板の中央部とトライアングルの頂角を紐や小さめの結束バンドで結束する。この時、アルミ平板とトライアングルの上部に僅かに隙間ができる程度に結束する。アルミ平板とトライアングルの上部の隙間を僅少にすることで、アルミ板、すなわち本発明のトライアングル用持ち手に対して、トライアングル本体が捩れにくくなり回転が抑制される。【０００８】  把手の両端から渡す浅いＵ字型の平板の素材はアルミニウムとする。トライアングルを吊すために十分に必要な強度を持ち、加工もしやすいアルミニウムが最適の素材である。トライアングルと結束する平板の幅はトライアングルの太さと同程度が望ましい。既存のトライアングルの多くが９ｍｍの太さであるため、トライアングルを釣持する紐や結束バンドの固定用の凹みを左右１ｍｍとすると平板の幅は１１ｍｍ程度になる。厚さは２ｍｍ程度が強度的に望ましい。手で握って持つ把手の部分は園児でも男性の大人でも持った時に違和感のないΦ１２ｍｍ、長さ９５ｍｍ程度の木製の円柱が最適である。
【発明の効果】
【０００９】  既存のトライアングルの演奏を一度でも行ったことのある小学校の児童や園児の多くは演奏の途中でトライアングルが回転してしまってしっかり打てなくなったり、演奏しづらくなったりした経験を持っているであろう。そのような子供たちが、本発明の「トライアングル用持ち手」を使用してトライアングルを演奏すれば、トライアングル本体が回転せず、確実に演奏できることに気づき、その後は安心してトライアングルの演奏をすることができるようになるであろう。【００１０】  また、トライアングルの演奏では、響いている音を止めるミュートも必要なことである。楽譜にそって演奏する時に休符では音をミュートさせなければならない。トライアングルを釣持している手でトライアングルに触れてミュートする場合とビーターを打つ手でトライアングルに触れてミュートする場合があるが、小学校低学年の児童や園児にとってはトライアングルを釣持している手でミュートすることは難しい。ビーターを打つ手でトライアングルに触れてミュートする場合、トライアングル本体が回転して動いていたら、トライアングル本体に触れるタイミングが遅れることも考えられる。本発明のトライアングル用持ち手を使用すれば、ミュートが遅れる問題も解決される。【００１１】  トライアングルの多くは正三角形に近い形状を有しているが、二等辺三角形に近い形状のものの存在している。また、サイズについても様々なサイズのトライアングルが存在している。本発明のトライアングル用持ち手を使用すれば、どのようなサイズ、形状のトライアングルに対しても、これまで述べてきた効果を発揮させることができる。
【図面の簡単な説明】
【００１２】
【図１】  正面図
【図２】  側面図
【図３】  平面図
【図４】  底面図
【図５】  トライアングルを釣持した正面図
【図６】  トライアングルを釣持した拡大側面図
【図７】  持ち手を手で持っている状態の正面図
【発明を実施するための形態】
【００１３】  以下、本発明の実施の形態を図面に基づき説明する。
【００１４】  まず、図１〜図５のように、長さ１６０ｍｍ、幅１１ｍｍ、厚み２ｍｍ程度のアルミ平板の両端を３２ｍｍ程度上部に立ち上げ、中央部を１４°程度下に折り曲げる。
【００１５】  折り曲げた平板中央部の両端から１ｍｍ程内側に凹みをつける。アルミ平板の中央部を折り曲げて下げることも、凹みを持たせることも、トライアングルを釣持して結んだ紐や小型結束バンドを固定し易くするためである。
【００１６】  アルミ平板の立ち上げた両端を、長さ９５ｍｍ、直径１２ｍｍ程度の木の丸棒の両端にビス止めし、本発明の「トライアングル用持ち手」は完成する。
【００１７】  アルミ平板と木の丸棒をビス止めした本「トライアングル用持ち手」は全体を手で触れるため、どの部分もＲ面取りを行って、持った時の違和感がないようにする。
【実施例】
【００１８】  トライアングルは小学校低学年の児童や幼稚園、保育園の園児によって演奏されることが比較的多い。演奏技術があまり高くない彼らには、トライアングル面に対してビーターをいつも垂直に打ち続けることは難しい。そのような場合でも、本発明の「トライアングル用持ち手」を使えば、トライアングル本体の回転がなくなってビーターを打ち続けることができ、演奏が途中で途切れることがなくなる。演奏会や合奏発表会等で、演奏者も見ている人たちも満足を得ることができるであろう。
【符号の説明】
【００１９】１１            本発明の木製把手部分
１２            トライアングルを釣持するアルミ平板
１３            アルミ平板の中央部を両側から凹ませた部分
１４            アルミ平板と木製把手を止めるビス
１５            トライアングルを釣持する紐、又は結束バンド
１６            既存のトライアングル
【図１】
2016009183.tif 000003
【図２】
2016009183.tif 000004
【図３】
2016009183.tif 000005
【図４】
2016009183.tif 000006
【図５】
2016009183.tif 000007
【図６】
2016009183.tif 000008
【図７】
2016009183.tif 000009